(57)【要約】【課題】捕虫を受動的ではなく能動的に行うことができ、捕まえた虫を手を汚すことなく排気することができること。【解決手段】把手１２を有する粘着テープ保持用の扁平部材１４と複数の粘着テープ１６の積層体１８とから成り、積層体１８は、粘着面１６Ａが外側となるように積層体１８の内面を扁平部材１４の表裏両面に沿って折り返すように扁平部材１４に保持されている。この捕虫具１０は、把手１２で積層体１８の最表面の粘着性テープ１６に虫を付着するように積層体１８を虫に触れさせて捕虫する。捕虫後、最表面の粘着性テープ１６を裏返しに剥離して虫を包み込んで捨てる。【選択図】        図１
0003119366.tif 000002
【実用新案登録請求の範囲】
【請求項１】
捕虫用の粘着テープから成る捕虫具において、把手を有する粘着テープ保持用の扁平部材と複数の粘着テープの積層体とから成り、前記積層体は、粘着面が外側となるように前記積層体の内面を前記扁平部材の表裏両面に沿って折り返すように前記扁平部材に保持されていることを特徴とする捕虫具。
【請求項２】
捕虫用の粘着テープから成る捕虫具において、把手を有する粘着テープ保持用の扁平部材と複数の粘着テープの積層体とから成り、前記積層体は、粘着面が外側となるように前記積層体の内面を前記扁平部材の表裏両面に沿って折り返すように前記扁平部材に保持され、前記把手は、可撓性を有することを特徴とする捕虫具。
【請求項３】
捕虫用の粘着テープから成る捕虫具において、把手を有する粘着テープ保持用の扁平部材と複数の粘着テープの積層体とから成り、前記積層体は、粘着面が外側となるように前記積層体の内面を前記扁平部材の表裏両面に沿って折り返すように前記扁平部材に保持され、前記積層体の最外表面に剥離自在に覆われるカバーテープを更に備えていることを特徴とする捕虫具。
【請求項４】
捕虫用の粘着テープから成る捕虫具において、把手を有する粘着テープ保持用の扁平部材と複数の粘着テープの積層体とから成り、前記積層体は、粘着面が外側となるように前記積層体の内面を前記扁平部材の表裏両面に沿って折り返すように前記扁平部材に保持され、前記把手は、可撓性を有し、前記積層体の最外表面に剥離自在に覆われるカバーテープを更に備えていることを特徴とする捕虫具。
【請求項５】
捕虫用の粘着テープから成る捕虫具において、把手を有する粘着テープ保持用の扁平部材と複数の粘着テープの積層体とから成り、前記積層体は、粘着面が外側となるように前記積層体の内面を前記扁平部材の表裏両面に沿って折り返すように前記扁平部材に保持され、且つ前記積層体は、各粘着テープの端縁から突出する剥離用つまみを有することを特徴とする捕虫具。
【請求項６】
捕虫用の粘着テープから成る捕虫具において、把手を有する粘着テープ保持用の扁平部材と複数の粘着テープの積層体とから成り、前記積層体は、粘着面が外側となるように前記積層体の内面を前記扁平部材の表裏両面に沿って折り返すように前記扁平部材に保持され、前記把手は、可撓性を有し、且つ前記積層体は、各粘着テープの端縁から突出する剥離用つまみを有することを特徴とする捕虫具。
【請求項７】
捕虫用の粘着テープから成る捕虫具において、把手を有する粘着テープ保持用の扁平部材と複数の粘着テープの積層体とから成り、前記積層体は、粘着面が外側となるように前記積層体の内面を前記扁平部材の表裏両面に沿って折り返すように前記扁平部材に保持され、前記積層体の最外表面に剥離自在に覆われるカバーテープを更に備え、且つ前記積層体は、各粘着テープの端縁から突出する剥離用つまみを有することを特徴とする捕虫具。
【請求項８】
捕虫用の粘着テープから成る捕虫具において、把手を有する粘着テープ保持用の扁平部材と複数の粘着テープの積層体とから成り、前記積層体は、粘着面が外側となるように前記積層体の内面を前記扁平部材の表裏両面に沿って折り返すように前記扁平部材に保持され、前記把手は、可撓性を有し、前記積層体の最外表面に剥離自在に覆われるカバーテープを更に、且つ前記積層体は、各粘着テープの端縁から突出する剥離用つまみを有することを特徴とする捕虫具。
【考案の詳細な説明】
【技術分野】
【０００１】
本考案は、例えば、蚊、蝿の如き小さな飛翔性害虫からゴキブリの如き大きな爬性害虫まで種々の虫を捕虫するのに好適な捕虫具に関するものである。
【背景技術】
【０００２】
従来から、蚊、蝿の如き比較的小さな虫を捕虫するために、粘着性テープを備えた種々の捕虫器又は捕虫装置が提案されている(特許文献１乃至５参照)。
【０００３】
これらの従来技術の捕虫器又は捕虫装置は、保持器又は保持台に保持された捕虫用の粘着性テープから成っており、捕虫器又は捕捉装置を捕虫すべき場所に設置して虫がこの粘着性テープに付着して捕まえられるのを待っているようにして使用される。従って、これらの従来技術の捕虫具は、虫を追っかけて積極的に捕虫することができない欠点があった。
【０００４】
また、従来技術のいずれの捕虫器又は捕虫装置は、保持器又は保持台に特殊な構造で機械的に粘着性テープを保持しているので、構造が複雑で高価となる上に、捕虫した粘着性テープを廃棄し、新しい粘着性テープを捕虫位置にするように粘着性テープを交換する作業が面倒であった。
【０００５】
【特許文献１】実開平６−５２４６１号公報
【特許文献２】特開平９−９４０４９号公報
【特許文献１】特開平１１−２２５６４７号公報
【特許文献１】特開２００２−３６０１４６号公報
【特許文献１】特開２００３−１５８９７５号公報
【考案の開示】
【考案が解決しようとする課題】
【０００６】
本考案が解決しようとする１つの課題は、虫が捕まえられるのを受動的に待つのではなく、能動的に捕虫することができる捕虫具を提供することにある。
【０００７】
本考案が解決しようとする他の課題は、簡単な構造で多数の捕虫用粘着性テープを保持することができ、また捕虫済みの古い粘着性テープを手を汚すことなく容易に廃棄することができ、また捕虫後の新しい粘着性テープを容易に捕虫位置に露出することができる捕虫具を提供することにある。
【課題を解決するための手段】
【０００８】
本考案の第１の基本的な課題解決手段は、捕虫用の粘着テープから成る捕虫具において、把手を有する粘着テープ保持用の扁平部材と複数の粘着テープの積層体とから成り、この積層体は、粘着面が外側となるように積層体の内面を扁平部材の表裏両面に沿って折り返すように扁平部材に保持されていることを特徴とする捕虫具を提供することにある。
【０００９】
本考案の第２の基本的な課題解決手段は、捕虫用の粘着テープから成る捕虫具において、把手を有する粘着テープ保持用の扁平部材と複数の粘着テープの積層体とから成り、この積層体は、粘着面が外側となるように積層体の内面を扁平部材の表裏両面に沿って折り返すように扁平部材に保持され、積層体の最外表面に剥離自在に覆われるカバーテープを更に備えていることを特徴とする捕虫具を提供することにある。
【００１０】
本考案の第３の基本的な課題解決手段は、捕虫用の粘着テープから成る捕虫具において、把手を有する粘着テープ保持用の扁平部材と複数の粘着テープの積層体とから成り、この積層体は、粘着面が外側となるように積層体の内面を扁平部材の表裏両面に沿って折り返すように扁平部材に保持され、且つ積層体は、各粘着テープの端縁から突出する剥離用つまみを有することを特徴とする捕虫具を提供することにある。
【００１１】
本考案の第１乃至第３の課題解決手段において、扁平部材の把手は、可撓性を有するものとするのが好ましい。
【考案の効果】
【００１２】
本考案によれば、捕虫用粘着性テープは、把手を有する扁平部材の表裏に折り畳むように保持されているので、置き型の捕虫器や捕虫装置と異なって手で捕虫具を自由に動かすができるので、蝿たたきのように虫を追って積極的に捕虫することができる。
【００１３】
また、捕虫済みの古い粘着性テープは、粘着面が内側となるようにして扁平部材から剥がすことによって容易に廃棄することができ、特に各粘着性テープが剥離用つまみを有すると、粘着性テープの剥がしと廃棄とを手を汚すことなく容易に行うことができ、また粘着性テープは積層されているので、古い粘着性テープを剥がすだけで、新しい粘着性テープを容易に捕虫位置に露出することができる。
【００１４】
更に、捕虫具は、把手付きの扁平部材と粘着性テープの積層体とから成っており、積層体の内面を接着等の適宜の手段で扁平部材に保持するだけで組立てることができるので、組立が容易で安価に製造することができる。
【考案を実施するための最良の形態】
【００１５】
本考案の実施の形態を図面を参照して詳細に述べると、図１は、本考案の１つの実施の形態による捕虫具１０を示す。
【００１６】
この捕虫具１０は、把手１２を有する粘着テープ保持用の扁平部材１４と複数の粘着テープ１６の積層体１８とから成っている。粘着性テープ１６の積層体１８は、粘着面１６Ａが外側となるように積層体１８の内面１８Ｓを扁平部材１４の表裏両面に沿って折り返すように扁平部材１４に保持されている。図示の形態では、積層体１８は、その内面、即ち最も内側の粘着性テープ１６の内面を接着剤を介して扁平部材１４に保持されているが、接着剤以外に掛止め又は他の適宜の手段で保持することもできる。
【００１７】
図示の形態では、積層体１８は、扁平部材１４の下縁で折り返しているが、左右いずれかの側縁で折り返してもよい。
【００１８】
本考案の捕虫具１０は、不使用時に、最外面にある粘着性テープ１６によって保管位置に付着するのを防止するために、粘着性テープ１６と同じ展開形状を有し、積層体１８の最外表面に剥離自在に覆われるカバーテープ２０を更に備えている。このカバーテープ２０は、捕虫具１０の使用時に、最外表面にある粘着性テープ１６から剥がして、捕虫用の粘着性テープ１６を露出する。
【００１９】
粘着性テープの積層体１８及びカバーテープ２０は、各粘着性テープ１６及びカバーテープ２０の端縁、図示の形態では、上端縁から突出する剥離用つまみ１６Ｋ、２０Ｋを有する。この剥離用つまみ１６Ｋ、２０Ｋは、粘着性テープ１６、カバーテープ２０と同じ材質でこれらのテープの上端縁から一体に延びているのが好ましいが、別体のつまみ片を貼り付けて形成してもよい。
【００２０】
本考案の捕虫具１０の使用状態を図面を参照して述べると、図１に示す捕虫具１０は、図１に示すように、カバーテープ２０を剥がした後、把手１２を手でもって捕まえるべき虫２２に粘着性テープ１６の積層体１８を軽く叩きつけるようにして使用される。積層体１８が虫２２に触れると、最表面の粘着性テープ１６に虫２２を付着する（図２参照）。なお、この捕虫具１０は、典型的には、床を這っているか止まっている虫２２に触れて捕虫するが、飛翔している虫２２に積層体１８が触れるように把手１２を操作して捕虫してもよい。
【００２１】
このようにして捕虫した最表面の粘着性テープ１６は、図２に示すように、虫２２が付着しているテープ部分１６Ｐ１を剥離用つまみ１６Ｋを手で摘んで、下側の粘着性テープ１６から剥がし、更に、図３に示すように、虫２２が内側に入るように、このテープ部分１６Ｐ１を反対側のテープ部分１６Ｐ２に重合して虫２２をテープ部分１６Ｐ１と１６Ｐ２の間に閉じ込めつつ、下側の粘着性テープ１６から完全に剥がす（図４参照）。
【００２２】
重合面は粘着性を有するので、テープ部分１６Ｐ１と１６Ｐ２とは接着され、また外側の面は粘着性を有しないので、手を汚すことがない。このようにして、虫２２が閉じ込められて袋状にされた粘着性テープ１６は、そのままゴミ箱等に捨てることができる。
【００２３】
図示の例では、テープ部分１６Ｐ２の上端縁にはつまみが設けられていないが、テープ部分１６Ｐ２を下側の粘着性テープ１６から剥離し易いように、テープ部分１６Ｐ２の上端縁にもつまみを設けることができる。なお、テープ部分の剥がし方は、上記のように、必ずしも、虫が付着したテープ部分１６Ｐ１から剥がす方法に限らず、逆に虫が付着されていないテープ部分１６Ｐ２から剥がして虫２２が付着しているテープ部分１６Ｐ１に重合してもよい。
【００２４】
図示の形態では、把手１２は、可撓性を有するので、蠅たたきと同様にして、弾みをつけて積層体１８を捕まえるべき虫に触れるように使用することができるが、弾みを過度に強くすると、虫２２が潰されて床を汚すので、この可撓性は、必ずしも要求されない。
【００２５】
積層体１８は、幾つか買い置きし、すべての粘着性テープ１６を使用し尽くした後、新たな積層体１８を扁平部材１４に取り付けることによって把手１２付きの扁平部材１４は、繰り返し使用することができる。
【産業上の利用可能性】
【００２６】
本考案の捕虫具は、虫が捕まえられるのを待つのではなく、積極的に虫を捕まえるようにして捕虫することができるので、捕虫効果が向上し、また捕虫用の粘着性テープは単に手で折り返すだけで虫を閉じ込めてそのまま捨てることができるので、手を汚すことなく廃棄処理することができ、産業上の利用性が向上する。
【図面の簡単な説明】
【００２７】
【図１】本考案の１つの形態による捕虫具の斜視図である。
【図２】最外表面にある粘着性テープに虫が付着した状態の捕虫具の部分斜視図である。
【図３】本考案の捕虫具で捕虫された虫を包むように最外表面の粘着性テープを剥がしている状態の側面図である。
【図４】図３の状態から捕虫済みの粘着性テープを捕虫具から完全に剥離した状態の斜視図である。
【符号の説明】
【００２８】
１０  捕虫具
１２  把手
１４  扁平部材
１６  捕虫用粘着性テープ
１６Ａ  粘着面
１６Ｋ  剥離用つまみ
１６Ｐ１、１６Ｐ２  テープ部分
１８  積層体
１８Ｓ  積層体の内面
２０  カバーテープ
２０Ｋ  剥離用つまみ
２２  虫
【図１】
0003119366.tif 000003
【図２】
0003119366.tif 000004
【図３】
0003119366.tif 000005
【図４】
0003119366.tif 000006